【手続補正書】
【提出日】平成15年12月12日(2003.12.12)
【手続補正１】
【補正対象書類名】明細書
【補正対象項目名】特許請求の範囲
【補正方法】変更
【補正の内容】
【特許請求の範囲】
【請求項１】
ストロボ撮影時に際して、撮影時の発光前にプリ発光を行い、調光手段の受光信号の積算値が所定値に達したら前記プリ発光を停止させるとともに、プリ発光時に撮像素子から得られた被写体輝度に関する測光データとストロボ発光が行われていない状態での前記撮像素子から得られた被写体輝度に関する測光データと前記所定値に基づいて撮影時のストロボの発光量の制御を行なう制御手段を設けたことを特徴とする撮影装置。
【請求項２】
前記制御手段は、プリ発光時に撮像素子から得られた被写体輝度に関する測光データとストロボ発光が行われていない状態での前記撮像素子から得られた被写体輝度に関する測光データと前記所定値に基づいて撮影時の発光光量の調光制御に用いられる調光レベルを演算して、該演算された調光レベルを設定した状態で撮影時のストロボの発光量の制御を行なうことを特徴とする請求項１に記載の撮影装置。
【請求項３】
前記撮影装置は、プリ発光時の測光データとストロボ発光が行なわれていない状態での測光データとの差に関する情報と、前記所定値と自然光による露光量の差に関する情報との比に関する情報または、それに準じた値に応じて撮影時の発光量の制御を行なうことを特徴とする請求項１または２に記載の撮影装置。
【請求項４】
前記撮影装置は、プリ発光時の測光データとストロボ発光が行なわれていない状態での測光データとの差に関する情報と、前記所定値と自然光による露光量の差に関する情報との比に関する情報または、それに準じた値とプリ発光時の調光レベルとの積に応じて撮影時の調光レベルを演算することを特徴とする請求項２に記載の撮影装置。
【請求項５】
前記撮影装置は、複数の領域に分割された撮像素子の出力を測定し、該領域のうちプリ発光時の測光データが所定の値より大きい領域の測光データ選択して、前記制御手段がストロボの発光量の制御で用いる測光データとして処理する選択手段を有することを特徴とする請求項１から４のいずれかに記載の撮影装置。
【請求項６】
前記撮影装置は、複数の領域に分割された撮像素子の出力を測定し、該領域のうちプリ発光時の測光データとストロボ発光が行なわれていない状態での測光データとの差が所定の値より大きい領域での測光データ選択して、前記制御手段がストロボの発光量の制御で用いる測光データとして処理する選択手段を有することを特徴とする請求項１から４のいずれかに記載の撮影装置。
【請求項７】
前記撮影装置は、前記選択手段にて選択された測光データの領域の数に応じて撮影時のストロボの発光量を変更することを特徴とする請求項５または６に記載の撮影装置。
【請求項８】
前記撮影装置は、前記撮像素子のプリ発光時の電荷蓄積時間は撮影時のストロボ発光時の電荷蓄積時間に比して短く設定されたことを特徴とする請求項１から７のいずれかに記載の撮影装置。
【請求項９】
前記撮影装置は、前記撮像素子のプリ発光時の電荷蓄積時間とストロボ発光が行なわれていない時の測光データを検知する際の電荷蓄積時間をほぼ同一に設定したことを特徴とする請求項１から７のいずれかに記載の撮影装置。
【手続補正２】
【補正対象書類名】明細書
【補正対象項目名】０００６
【補正方法】変更
【補正の内容】
【０００６】
本願発明の目的は、外光を除去してプリ発光量に基づいて本発光量を制御することで本発光の精度を向上することである。さらに、被写体の輝度によらず、プリ露光時に撮像素子にはほぼ一定の光量が得られる構成とし、明るすぎて飽和してしまうことで本発光時の演算ができなくなることを防止することである。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】変更
【補正の内容】
【００１５】
【課題を解決するための手段】
本願の請求項１に係る撮影装置は、ストロボ撮影時に際して、撮影時の発光前にプリ発光を行い、調光手段の受光信号の積算値が所定値に達したら前記プリ発光を停止させるとともに、プリ発光時に撮像素子から得られた被写体輝度に関する測光データとストロボ発光が行われていない状態での前記撮像素子から得られた被写体輝度に関する測光データと前記所定値に基づいて撮影時のストロボの発光量の制御を行なう制御手段を設けたことを特徴とするものである。
【手続補正１２】
【補正対象書類名】明細書
【補正対象項目名】００１６
【補正方法】変更
【補正の内容】
【００１６】
本願の請求項２に係る撮影装置は、請求項１に係る撮影装置において、プリ発光時に撮像素子から得られた被写体輝度に関する測光データとストロボ発光が行われていない状態での前記撮像素子から得られた被写体輝度に関する測光データと前記所定値に基づいて撮影時の発光光量の調光制御に用いられる調光レベルを演算して、該演算された調光レベルを設定した状態で撮影時のストロボの発光量の制御を行なうことを特徴とするものである。


【手続補正１３】
【補正対象書類名】明細書
【補正対象項目名】００１７
【補正方法】変更
【補正の内容】
【００１７】
本願の請求項３に係る撮影装置は、請求項１または２に係る撮影装置において、プリ発光時の測光データとストロボ発光が行なわれていない状態での測光データとの差に関する情報と、前記所定値と自然光による露光量の差に関する情報との比に関する情報または、それに準じた値に応じて撮影時の発光量の制御を行なうことを特徴とするものである。


【手続補正１４】
【補正対象書類名】明細書
【補正対象項目名】００１８
【補正方法】変更
【補正の内容】
【００１８】
本願の請求項４に係る撮影装置は、請求項２に係る撮影装置において、プリ発光時の測光データとストロボ発光が行なわれていない状態での測光データとの差に関する情報と、前記所定値と自然光による露光量の差に関する情報との比に関する情報または、それに準じた値とプリ発光時の調光レベルとの積に応じて撮影時の調光レベルを演算することを特徴とするものである。


【手続補正１５】
【補正対象書類名】明細書
【補正対象項目名】００１９
【補正方法】変更
【補正の内容】
【００１９】
本願の請求項５に係る撮影装置は、請求項１から４のいずれかに係る撮影装置において、複数の領域に分割された撮像素子の出力を測定し、該領域のうちプリ発光時の測光データが所定の値より大きい領域の測光データ選択して、前記制御手段がストロボの発光量の制御で用いる測光データとして処理する選択手段を有することを特徴とするものである。


【手続補正１６】
【補正対象書類名】明細書
【補正対象項目名】００２０
【補正方法】変更
【補正の内容】
【００２０】
本願の請求項６に係る撮影装置は、請求項１から４のいずれかに係る撮影装置において、複数の領域に分割された撮像素子の出力を測定し、該領域のうちプリ発光時の測光データとストロボ発光が行なわれていない状態での測光データとの差が所定の値より大きい領域での測光データ選択して、前記制御手段がストロボの発光量の制御で用いる測光データとして処理する選択手段を有することを特徴とするものである。


【手続補正１７】
【補正対象書類名】明細書
【補正対象項目名】００２１
【補正方法】変更
【補正の内容】
【００２１】
本願の請求項７に係る撮影装置は、請求項５または６に係る撮影装置において、前記選択手段にて選択された測光データの領域の数に応じて撮影時のストロボの発光量を変更することを特徴とするものである。


【手続補正１８】
【補正対象書類名】明細書
【補正対象項目名】００２２
【補正方法】変更
【補正の内容】
【００２２】
本願の請求項８に係る撮影装置は、請求項１から７のいずれかに係る撮影装置において、前記撮像素子のプリ発光時の電荷蓄積時間は撮影時のストロボ発光時の電荷蓄積時間に比して短く設定されたことを特徴とするものである。


【手続補正１９】
【補正対象書類名】明細書
【補正対象項目名】００２３
【補正方法】変更
【補正の内容】
【００２３】
本願の請求項９に係る撮影装置は、請求項１から７に係る撮影装置において、前記撮像素子のプリ発光時の電荷蓄積時間とストロボ発光が行なわれていない時の測光データを検知する際の電荷蓄積時間をほぼ同一に設定したことを特徴とするものである。


【手続補正２０】
【補正対象書類名】明細書
【補正対象項目名】００２４
【補正方法】削除
【補正の内容】
【手続補正２１】
【補正対象書類名】明細書
【補正対象項目名】００２５
【補正方法】削除
【補正の内容】
【手続補正２２】
【補正対象書類名】明細書
【補正対象項目名】００２６
【補正方法】削除
【補正の内容】
【手続補正２３】
【補正対象書類名】明細書
【補正対象項目名】００２７
【補正方法】削除
【補正の内容】
【手続補正２４】
【補正対象書類名】明細書
【補正対象項目名】００２８
【補正方法】削除
【補正の内容】
【手続補正２５】
【補正対象書類名】明細書
【補正対象項目名】００２９
【補正方法】削除
【補正の内容】
【手続補正２６】
【補正対象書類名】明細書
【補正対象項目名】００３０
【補正方法】削除
【補正の内容】
【手続補正２７】
【補正対象書類名】明細書
【補正対象項目名】００３１
【補正方法】削除
【補正の内容】
【手続補正２８】
【補正対象書類名】明細書
【補正対象項目名】００３２
【補正方法】削除
【補正の内容】
【手続補正２９】
【補正対象書類名】明細書
【補正対象項目名】００３３
【補正方法】削除
【補正の内容】
【手続補正３０】
【補正対象書類名】明細書
【補正対象項目名】００６７
【補正方法】変更
【補正の内容】
【００６７】
【発明の効果】
本願発明によれば、外光の影響を排除して、本発光光量をプリ発光に応じて適正化できるので被写体の位置、反射率に影響されずに適正なストロボ撮影ができる。また、被写体の輝度によらず、プリ露光時に撮像素子にはほぼ一定の光量が得られるので、明るすぎて飽和してしまうことで本発光時の演算ができなくなることを防止することができる。
【手続補正３１】
【補正対象書類名】明細書
【補正対象項目名】００６８
【補正方法】削除
【補正の内容】